(57)【要約】【課題】  ＨＤＭＩケーブルを接続すると自重で斜めになりやすく、接続部分の嵌合がゆるんで、接触不良を生じていた。【解決手段】  ＨＤＭＩケーブル２０を接続するときは、蓋体１５のつまみ１５ｂを把持し、下端の軸１５ａと軸孔１７ａを回転中心として手前側に９０度回転させる。つまみ１５ｂは下方側に突き出る形となっているので、約９０度回転させたときに機器１０の壁面１３に当接し、それ以上は回転できなくなって停止する。この状態で、蓋体１５は上面に向かって突き出る凸部１５ｃを有している。ＨＤＭＩケーブル２０を挿入口１２を介してソケット１１に挿入していくと、ＨＤＭＩケーブル２０の先端部分がちょうど凸部１５ｃの上面に当接し、蓋体１５はあたかもＨＤＭＩケーブル２０を下支えする状況となる。【選択図】図１
2011113778.tif 000002
【特許請求の範囲】
【請求項１】
機器側には、ＨＤＭＩケーブルのソケットと挿入口を備え、上記ソケットとＨＤＭＩケーブルとの２個の接続部品からなる嵌合構造を有するＨＤＭＩケーブルのコネクタ接続構造において、
上記機器側には、上記挿入口を形成する略垂直の壁面の外側で、上記ＨＤＭＩケーブルを挿入した時に同挿入口の開口部の下側にて同ＨＤＭＩケーブルを下支えして重量を支持する支持構造を有することを特徴とするＨＤＭＩケーブルのコネクタ接続構造
【請求項２】
上記支持構造は、上記挿入口を開閉する蓋体であって、開口部の下側部位のヒンジ構造で上記壁面に支持され、閉じている状態では外部につまみを突出しており、約９０度開いたときには同つまみが上記壁面に当接して回動動作を規制し、規制された状態では上記ＨＤＭＩケーブルを下支えする位置にて停止する蓋体を有することを特徴とする請求項１に記載のＨＤＭＩケーブルのコネクタ接続構造。
【請求項３】
上記蓋体は、上記挿入口に対面する側に、同挿入口に係止可能で、かつ、所定の厚みだけ突出する突起を有し、閉じた状態では同突起が同挿入口に係止し、開いた状態では、同突起が上記ＨＤＭＩケーブルをより高い位置で下支えすることを特徴とする請求項２に記載のＨＤＭＩケーブルのコネクタ接続構造。
【請求項４】
上記挿入口を形成した壁面が、同挿入口の下側で略水平に奥まるように形成され、上記つまみは、奥まる上記壁面に当接するように延長された形状となっていることを特徴とする請求項２に記載のＨＤＭＩケーブルのコネクタ接続構造。
【請求項５】
上記蓋体は、上記ヒンジ構造を介して上記壁面に対して脱着可能としたことを特徴とする請求項１または請求項２に記載のＨＤＭＩケーブルのコネクタ接続構造。
【請求項６】
機器側には、ＨＤＭＩケーブルのソケットと挿入口を備え、上記ソケットとＨＤＭＩケーブルとの２個の接続部品からなる嵌合構造を有するＨＤＭＩケーブルのコネクタ接続構造において、
上記機器側には、上記挿入口を形成する略垂直の壁面の外側で、上記ＨＤＭＩケーブルを挿入した時に同挿入口の開口部の下側にて同ＨＤＭＩケーブルを下支えして重量を支持する支持構造であって、
当該支持構造は、上記挿入口を開閉する蓋体であって、開口部の下側部位のヒンジ構造で上記壁面に支持され、閉じている状態では外部につまみを突出しており、約９０度開いたときには同つまみが上記壁面に当接して回動動作を規制し、規制された状態では上記ＨＤＭＩケーブルを下支えする位置にて停止する蓋体を有し、かつ、
同蓋体は、上記挿入口に対面する側に、同挿入口に係止可能で、かつ、所定の厚みだけ突出する突起を有し、閉じた状態では同突起が同挿入口に係止し、開いた状態では、同突起が上記ＨＤＭＩケーブルをより高い位置で下支えすることを特徴とするＨＤＭＩケーブルのコネクタ接続構造。
【発明の詳細な説明】
【技術分野】
【０００１】
本発明は、ＨＤＭＩケーブルのコネクタ接続構造に関し、特に、２個の接続部品を持つ嵌合装置の全体の構造、および、異なる型の電気装置に共通の構造に特徴があるＨＤＭＩケーブルのコネクタ接続構造に関する。
【背景技術】
【０００２】
特許文献１には、雌コネクタ１通すコネクタ２を嵌合固定するコネクタ固定装置において、両コネクタ（１，２）を支持する基板９を有し、両コネクタ（１，２）には、先端に先窄まり状で弾性変形可能な爪（５，６）を有する支持脚（３，４）を有し、基板（９）には、両コネクタ（１，２）が完全に嵌合された状態で前記爪（５，６）が係止される孔部（９ａ）を形成したコネクタ固定装置の構造が開示されている。
特許文献２には、支持部（９）を基板用コネクタ（６）の両側に一対配設し、一対の支持部（９）を壁状に形成し、一対の支持部の内側に端子（２５）を囲んで位置させ、支持部（９）を端子（２５）よりも配線板（４１）に向けて長く突出させた基板用コネクタの取り付け構造の構成が開示されている。
【０００３】
特許文献３には、後端に設けられた信号線（５）が基板（３）に半田付けで取り付けられるとともに脚部（２，２）が基板（３）に挿入されることにより基板（３）の端部に実装されたＨＤＭＩコネクタ（１）にフランジ（６）を設け、このフランジ（６）をシャーシ（７）に取り付け固定するようにしたＨＤＭＩコネクタの取り付け構造が開示されている。
【先行技術文献】
【特許文献】
【０００４】
【特許文献１】特開２００４−６３１５４号公報
【特許文献２】特開２００２−３０５０４８号公報
【特許文献３】特開２００８−１３０３３３号公報
【発明の概要】
【発明が解決しようとする課題】
【０００５】
特許文献１と特許文献２に開示された技術は、ケーブルを支える点では共通するものの、機器側にはＨＤＭＩケーブルの挿入口を形成する壁面を形成しつつ、同ＨＤＭＩケーブルを挿入した時に同挿入口の開口部の下側にて同ＨＤＭＩケーブルを下支えして重量を支持するものは開示されていない。
特許文献３に開示された技術は、コネクタの下側に位置したりケーブルの自重を支えるものではない。
一方、一般的なＨＤＭＩソケットにはコネクタを挟持するバネが形成され、バネで挟持する力で抜けないように保持する。
【０００６】
しかし、ＨＤＭＩケーブルの重量があり、ＨＤＭＩケーブルを接続すると自重で斜めになりやすく、接続部分の嵌合がゆるんで、接触不良を生じる。そして、極端な場合は映像が映らなくなる。
また、Ｄ−ｓｕｂコネクタではネジ締め、Ｄ端子と呼ばれる映像コネクタではフッキングなどを用いて抜け止めを図っているが、ＨＤＭＩケーブルでは、規格上、これらの構造を備えていない。
さらに、磁石を用いたロッキング手段も考案されているが、相手側が非磁性材の場合には効果がない。
【０００７】
本発明は、ＨＤＭＩケーブルの自重さを支持し、コネクタの嵌合が緩むのを防止することを目的とする。
【課題を解決するための手段】
【０００８】
本発明は、機器側には、ＨＤＭＩケーブルのソケットと挿入口を備え、上記ソケットとＨＤＭＩケーブルとの２個の接続部品からなる嵌合構造を有するＨＤＭＩケーブルのコネクタ接続構造において、上記機器側には、上記挿入口を形成する略垂直の壁面の外側で、上記ＨＤＭＩケーブルを挿入した時に同挿入口の開口部の下側にて同ＨＤＭＩケーブルを下支えして重量を支持する支持構造を有する構成としてある。
かかる構成において、機器側に備えた支持構造により、上記ＨＤＭＩケーブルを略水平に挿入した時に、上記挿入口を形成する壁面の外側で、かつ、同挿入口の開口部の下側にて同ＨＤＭＩケーブルを下支えして重量を支持する。
【０００９】
このため、ＨＤＭＩケーブルの自重は支持構造にして支持され、ソケット自体には自重がかからず、自重で斜めになることはなくなり、接続部分の嵌合がゆるんだり、接触不良を起こすことはない。
また、上記支持構造は、上記挿入口を開閉する蓋体であって、開口部の下側部位のヒンジ構造で上記壁面に支持され、閉じている状態では外部につまみを突出しており、約９０度開いたときには同つまみが上記壁面に当接して回動動作を規制し、規制された状態では上記ＨＤＭＩケーブルを下支えする位置にて停止する蓋体を有する構成としても良い。
【００１０】
かかる構成において、上記支持構造としての蓋体は、上記挿入口における開口部の下側部位のヒンジ構造で上記壁面に支持され、同挿入口を開閉する。そして、閉じている状態では外部につまみを突出しており、同つまみをつかんで開くことができる。そして、約９０度開いたときには同つまみが上記壁面に当接して回動動作を規制する。このとき、規制された状態では上記ＨＤＭＩケーブルを下支えする位置にて停止するので、当該蓋体がＨＤＭＩケーブルの自重を支持することになる。
【００１１】
また、上記蓋体は、上記挿入口に対面する側に、同挿入口に係止可能で、かつ、所定の厚みだけ突出する突起を有する構成としても良い。
かかる構成において、上記蓋体を閉じた状態では同突起が同挿入口に係止し、同蓋体を開いた状態では、同突起が上記ＨＤＭＩケーブルをより高い位置で下支えすることができる。
さらに、上記挿入口を形成した壁面が、同挿入口の下側で略水平に奥まるように形成され、上記つまみは、奥まる上記壁面に当接するように延長された形状とした構成としても良い。
上記挿入口を形成した壁面が、同挿入口の下側で略水平に奥まるように形成されている場合がある。この場合、蓋体が単に突出されているだけでは上記壁面に当接しない状況があり得る。しかしながら、上記のような構成とした場合は、上記つまみはが延長された形状となっており、奥まる上記壁面に当接する。このため、つまみは蓋体の回転動作を規制し、ＨＤＭＩケーブルを下支えする。
【００１２】
さらに、上記蓋体は、上記ヒンジ構造を介して上記壁面に対して脱着可能とした構成としても良い。
蓋体はヒンジ構造を介して壁面に支持されるが、必ずしも固定される必要はなく、脱着可能な構成としても良い。
その他、機器側には、ＨＤＭＩケーブルのソケットと挿入口を備え、上記ソケットとＨＤＭＩケーブルとの２個の接続部品からなる嵌合構造を有するＨＤＭＩケーブルのコネクタ接続構造において、上記機器側には、上記挿入口を形成する略垂直の壁面の外側で、上記ＨＤＭＩケーブルを挿入した時に同挿入口の開口部の下側にて同ＨＤＭＩケーブルを下支えして重量を支持する支持構造であって、当該支持構造は、上記挿入口を開閉する蓋体であって、開口部の下側部位のヒンジ構造で上記壁面に支持され、閉じている状態では外部につまみを突出しており、約９０度開いたときには同つまみが上記壁面に当接して回動動作を規制し、規制された状態では上記ＨＤＭＩケーブルを下支えする位置にて停止する蓋体を有し、かつ、同蓋体は、上記挿入口に対面する側に、同挿入口に係止可能で、かつ、所定の厚みだけ突出する突起を有し、閉じた状態では同突起が同挿入口に係止し、開いた状態では、同突起が上記ＨＤＭＩケーブルをより高い位置で下支えする構成としても良い。
【発明の効果】
【００１３】
以上説明したように、本発明によれば、ＨＤＭＩケーブルの端子近傍が下支えされるため、ケーブルを斜めにしようとする力が減り、接触不良は生じなくなる。この結果、映像が映らなくなるということも防止できる。
【図面の簡単な説明】
【００１４】
【図１】閉じた状態のＨＤＭＩケーブルのコネクタ接続構造の側面図である。
【図２】閉じた状態のＨＤＭＩケーブルのコネクタ接続構造の正面図である。
【図３】開いた状態のＨＤＭＩケーブルのコネクタ接続構造の側面図である。
【図４】開いた状態のＨＤＭＩケーブルのコネクタ接続構造の正面図である。
【図５】変形例にかかる閉じた状態のＨＤＭＩケーブルのコネクタ接続構造の側面図である。
【図６】変形例にかかる開いた状態のＨＤＭＩケーブルのコネクタ接続構造の側面図である。
【００１５】
【図７】変形例にかかるＨＤＭＩケーブルのコネクタ接続構造の側面図である。
【図８】変形例にかかるＨＤＭＩケーブルのコネクタ接続構造の分解斜視図である。
【発明を実施するための形態】
【００１６】
以下、下記の順序に従って添付図面にもとづいて本発明の実施形態を説明する。
１．蓋型のＨＤＭＩケーブルのコネクタ接続構造
２．変形例にかかる蓋型のＨＤＭＩケーブルのコネクタ接続構造
３．固定型のＨＤＭＩケーブルのコネクタ接続構造
４．脱着型のＨＤＭＩケーブルのコネクタ接続構造
１．蓋型のＨＤＭＩケーブルのコネクタ接続構造
図１と図２は蓋体を閉じた状態を側面図と正面図で示し、図３と図４は蓋体を開いた状態を側面図と正面図で示している。
【００１７】
本実施例のＨＤＭＩケーブルのコネクタ接続構造は、機器１０とＨＤＭＩケーブル２０とからなり、機器１０の側にはＨＤＭＩケーブルのソケット１１と挿入口１２を備えている。なお、便宜上、ＨＤＭＩケーブル２０の先端の端子部分を含む全体をコネクタ２１と呼び、同コネクタ２１がソケット１１内に挿入されることにより、機器１０の側とＨＤＭＩケーブル２０とは機械的にも電気的にも接続される。ここでは、ソケット１１とＨＤＭＩケーブル２０とが２個の接続部品であり、これらが接続する構造が嵌合構造となる。
機器１０の側にはＨＤＭＩケーブル２０を挿入する部位として略垂直の壁面１３が形成されており、この壁面１３の一部を開口して上記挿入口１２が形成されている。また、上記ソケット１１は機器１０の内側で上記挿入口１２を介して外部に露出するように配設されている。
【００１８】
壁面１３における上記挿入口１２の外側には、当該挿入口１２を開閉可能な蓋体１５が装着されている。より具体的には、同蓋体１５は、上記挿入口１２の開口部の下側部位の壁面にて、同蓋体１５の幅だけ隔てて平行に突出するようにヒンジ壁１７，１７が形成されており、同ヒンジ壁１７，１７はそれぞれ水平方向に貫通する軸孔１７ａ、１７ａが形成されている。一方の蓋体１５は略板状に形成されるとともに、立てた状態で両側面における下方側には軸１５ａ、１５ａを形成してあり、同軸１５ａ、１５ａを上記軸孔１７ａ、１７ａに挿入させることで、蓋体１５は下部を軸芯として枢動可能に支持されることになる。
【００１９】
蓋体１５は表面の幅方向中程に、閉じた状態で手前側（壁面１３に対して）に突出する板状の突起であるつまみ１５ｂを有している。つまみ１５ｂは単に手前側に突出するだけでなく、図１に示すように閉じた状態でやや下方側に突き出ている。このように下方側に突き出る結果、蓋体１５を開いた状態では、図２に示すように壁面１３に当接し、当該蓋体１５の回転を９０度の範囲に規制する。
また、蓋体１５における上記挿入口１２に面する側には同挿入口１２と略同一形状となる厚みのある凸部１５ｃを有しており、同凸部１５ｃが挿入口１２の開口端部に引っかかることで係止し、閉じた状態を保てるようになっている。一方、蓋体１５を開いたときには、この厚みの分だけ蓋体１５の上面側を上に引き上げることになり、後述するようにＨＤＭＩケーブル２０を下支えやすくなっている。
【００２０】
以上のような構成において、ＨＤＭＩケーブル２０を使用しない状態では蓋体１５は挿入口１２を閉じている。すなわち、平板状の本体を壁面１３に平行となるように回転させ、凸部１５ｃを挿入口１２の開口端部に押し込むようにして係止させる。この状態ではつまみ１５ｂが外側に突出するので、開こうとするときには同つまみ１５ｂを把持しやすくなっている。
ＨＤＭＩケーブル２０を接続するときは、蓋体１５のつまみ１５ｂを把持し、下端の軸１５ａと軸孔１７ａを回転中心として手前側に９０度回転させる。つまみ１５ｂは下方側に突き出る形となっているので、約９０度回転させたときに機器１０の壁面１３に当接し、それ以上は回転できなくなって停止する。
【００２１】
この状態で、蓋体１５は上面に向かって凸部１５ｃも突き出ている。ＨＤＭＩケーブル２０を挿入口１２を介してソケット１１に挿入していくと、ＨＤＭＩケーブル２０の先端部分がちょうど凸部１５ｃの上面に当接し、蓋体１５はあたかもＨＤＭＩケーブル２０を下支えする状況となる。このため、ＨＤＭＩケーブル２０の自重はソケット１１だけで支持されるのではなく、蓋体１５とヒンジ壁１７と壁面１３にて重量が支持されるので、ソケット１１に対して斜めになって嵌合が緩むということが無くなる。
【００２２】
なお、ヒンジ壁１７と軸孔１７ａおよび蓋体１５と軸１５ａとでヒンジ構造を形成している。つまみ１５ｂの形状は一例に過ぎず、機能的に約９０度開いたときに壁面１３に当接して回動動作を規制し、規制された状態でＨＤＭＩケーブル２０を下支えする位置にて停止するような形状であればよい。
以上説明したように、本実施形態では、機器１０の側におけるＨＤＭＩケーブルのソケットの下側に位置し、ＨＤＭＩケーブル２０の自重を支えるようにしたため、ＨＤＭＩコネクタにかかる応力を減少させ、ケーブルサポーターとして機能する。特に、上下９０度の回転機構を持つことで、上に倒したときは、機器１０側のコネクタの蓋となり、その表面に出るつまみ１５ｂが、下に倒したときは機器１０の側の壁面１３にあたる構造とした。
【００２３】
２．変形例にかかる蓋型のＨＤＭＩケーブルのコネクタ接続構造
ところで、機器１０によっては壁面１３における挿入口１２の開口部の下方に垂直な壁面がない場合がある。すなわち、図５及び図６に示すように、挿入口１２を形成した壁面１３が、同挿入口１２の下側で略水平に奥まる壁面１３ａを有するように形成されている場合である。機器１０の設計上、かかる略水平に奥まる壁面１３ａを有せざるを得ない場合があるからである。
【００２４】
このような場合に、先の蓋体１５のつまみ１５ｂだけでは、蓋体１５の回転範囲を９０度に規制できない。このため、本実施形態では、つまみ１５ｂは、奥まる壁面１３ａに当接するように延長された延設部１５ｂ１を有する形状となっている。蓋体１５を閉じた状態、すなわち、垂直に立てた状態では、延設部１５ｂ１はちょうど垂直方向の下方に延びた状態となっている。
図５は、蓋体１５を閉じた状態を示し、図６は、開いた状態を示している。閉じた状態から開いた状態へと蓋体１５を回転させていくと、約９０度回転した状態で上記延設部１５ｂ１が水平に奥まる壁面１３ａに当接し、それ以上は蓋体１５が回転しないようにする。
【００２５】
これにより、先ほどの例と同様に、蓋体１５を開いてＨＤＭＩケーブル２０を挿入口１２を介してソケット１１に挿入していくと、ＨＤＭＩケーブル２０の先端部分がちょうど凸部１５ｃの上面に当接し、蓋体１５はあたかもＨＤＭＩケーブル２０を下支えする状況となる。このため、ＨＤＭＩケーブル２０の自重はソケット１１だけで支持されるのではなく、蓋体１５とヒンジ壁１７と壁面１３にて支持されるので、ソケット１１に対して斜めになって嵌合が緩むということが無くなる。
【００２６】
３．固定型のＨＤＭＩケーブルのコネクタ接続構造
上述した例では、下支えする部材が蓋体１５として、壁面１３にて回転可能に支持されている。しかし、ＨＤＭＩケーブル２０の自重を下支えする支持構造としては、必ずしも回転する蓋体でなくても良い。
図７は壁面１３に固定される支持構造を示している。この例では、形状としては上記蓋体１５を開いた状態としたときの同蓋体１５とほぼ同様の支持台１８を壁面１３に固定して形成している。回転しないのでヒンジ壁１７も有しないし、軸１５ａ、１５ａも有しない。また、回転動作させる必要はないので、つまみ１５ｂに相当するサポート壁１８ａはやや小ぶりにしつつ壁面１３と連続している。一方、ＨＤＭＩケーブル２０との間に空間が生じにくいように凸部１５ｃに相当する凸部１８ｂはそのまま形成している。
【００２７】
このような構成とした場合でも、ＨＤＭＩケーブル２０を挿入口１２を介してソケット１１に挿入していくと、ＨＤＭＩケーブル２０の先端部分がちょうど凸部１８ｂ上面に当接し、支持台１８はあたかもＨＤＭＩケーブル２０を下支えする状況となる。このため、ＨＤＭＩケーブル２０の自重はソケット１１だけで支持されるのではなく、支持台１８とサポート壁１８ａと壁面１３にて支持されるので、ソケット１１に対して斜めになって嵌合が緩むということが無くなる。
【００２８】
４．脱着型のＨＤＭＩケーブルのコネクタ接続構造
支持台１８のように固定されていると、邪魔になる場合があるし、蓋体１５のように回転できるようにされていると、壊れやすい場合もある。
図８は、必要なときには強固に取り付け、不必要なときには取り外すことができる脱着型の支持構造を示している。
形状としては概略蓋体１５と同様の平板状で凸部１５ｃに相当する凸部１９ａを有する脱着支持台１９は、壁面１３の側に向けて当接し、かつ、上面から見たときに幅方向両端に垂直方向に延びる溝１９ｂ１、１９ｂ１を形成した嵌合部１９ｂを有している。壁面１３の側には挿入口１２の下端縁部に連続し、かつ、上記溝１９ｂ１、１９ｂ１の内側の幅に対応する幅で、上記嵌合部１９ｂの上下方向の長さに相当する長さだけ、下方側に開口させた嵌合スリット１３ｂを形成してある。
【００２９】
従って、嵌合部１９ｂを挿入口１２の開口内に挿入しつつ、溝１９ｂ１、１９ｂ１を嵌合スリット１３ｂに位置合わせして下方にスライドさせると、嵌合部１９ｂはほぼ嵌合スリット１３ｂ内で嵌合固定され、挿入口１２の下端から突き出る形で脱着支持台１９が固定される。むろん、逆の操作を行うことで取り外すこともでき、脱着可能となっている。
このような構成とした場合でも、ＨＤＭＩケーブル２０を挿入口１２を介してソケット１１に挿入していくと、ＨＤＭＩケーブル２０の先端部分がちょうど凸部１９ａ上面に当接し、脱着支持台１９はあたかもＨＤＭＩケーブル２０を下支えする状況となる。このため、ＨＤＭＩケーブル２０の自重はソケット１１だけで支持されるのではなく、脱着支持台１９と嵌合部１９ｂと嵌合スリット１３ｂと壁面１３にて支持されるので、ソケット１１に対して斜めになって嵌合が緩むということが無くなる。
【００３０】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００３１】
１０…機器、２０…ＨＤＭＩケーブル、１１…ソケット、１２…挿入口、１３…壁面、１３ａ…壁面、１３ｂ…嵌合スリット、１５…蓋体、１５ａ，１５ａ…軸、１５ｂ…つまみ、１５ｂ１…延設部、１５ｃ…凸部、１７，１７…ヒンジ壁、１７ａ，１７ａ…軸孔、１８…支持台、１８ａ…サポート壁、１８ｂ…凸部、１９…脱着支持台、１９ａ…凸部、１９ｂ…嵌合部、１９ｂ１，１９ｂ１…溝。
【図１】
2011113778.tif 000003
【図２】
2011113778.tif 000004
【図３】
2011113778.tif 000005
【図４】
2011113778.tif 000006
【図５】
2011113778.tif 000007
【図６】
2011113778.tif 000008
【図７】
2011113778.tif 000009
【図８】
2011113778.tif 000010